(57)【要約】【課題】  操作の容易性及び安全性を改善した美容脱毛用プローブを提供する。【解決手段】  導電性樹脂材料を用い、かつ先端側に設けられている毛包挿入部の先端形状を丸味を帯びた形状とすることにより、操作が容易かつ安全性を改善した美容脱毛用プローブを得ることができる。【選択図】        図４
2005296468.tif 000002
【特許請求の範囲】
【請求項１】
ポリオキシメチレン、又はポリエーテル  エーテル  ケトン、又はアクリロニトリル  ブタジエン  スチレン樹脂でなる樹脂に導電性非金属物質であるカーボンブラックを混合した導電性樹脂材料で構成され、毛包に挿入する毛包挿入部の先端を丸味を帯びた形状とする
ことを特徴とする美容脱毛用プローブ。
【発明の詳細な説明】
【技術分野】
【０００１】
本発明は美容脱毛用プローブに関し、特に美容脱毛施術を一段と容易かつ安全になし得る美容脱毛用プローブを提案するものである。
【背景技術】
【０００２】
美容電気脱毛施術は、美容の観点からむだ毛を処理するために用いられている技術で、毛包内に美容脱毛用プローブ（ニードルとも呼ばれている）を挿入し、これを電極として毛包内で高周波電流及び又は直流電流を流すことにより、毛根組織の内部において熱エネルギーに変換して、毛根組織に蛋白質の熱凝固作用を生じさせ、及び又は毛包内にあるＮａＣｌを電気分解することによりＮａＯＨを生成してその強アルカリ作用により毛根組織（毛乳頭）を破壊することを基本原理としているものである（特許文献１参照）。
【特許文献１】特開平６−７２１８号公報
【発明の開示】
【発明が解決しようとする課題】
【０００３】
このような美容電気脱毛施術をしようとする場合、実際上美容電気脱毛施術者は美容脱毛用プローブを皮膚表面に存在する多数の毛穴から毛包内に１つ１つ挿入しなければならない。その挿入操作を容易、かつ安全に行えるようにすることが望ましい。
【０００４】
本発明は以上の点を考慮してなされたもので、美容電気脱毛施術者が被施術者の毛包に一段と容易かつ安全に挿入できるようにした美容脱毛用プローブを提案しようとするものである。
【課題を解決するための手段】
【０００５】
かかる課題を解決するため本発明においては、ポリオキシメチレン樹脂（ＰＯＭ樹脂（polyoxymethylene））、又はポリエーテル  エーテル  ケトン樹脂（ＰＥＥＫ樹脂（polyether ether ketone））、又はアクリロニトリル  ブタジエン  スチレン樹脂（ＡＢＳ樹脂（acrylonitrile butadiene styrene ））の樹脂に導電性非金属物質であるカーボンブラックを混合した導電性樹脂材料で構成され、毛包に挿入する毛包挿入部２１Ｂの先端２１Ｂ１を丸味を帯びた形状とする。
【発明の効果】
【０００６】
本発明によれば、ＰＯＭ樹脂、ＰＥＥＫ樹脂、ＡＢＳ樹脂に導電物質であるカーボンブラックでなる等非金属物質を混合した導電性樹脂を材料とし、かつ先端の形状として丸味を帯びた毛包挿入部を形成したことにより、不用意に皮膚に刺通することなく、毛包挿入部分をしならせながらかつ不用意に毛包の壁面を傷つけ刺通することなく毛包に沿って容易に挿入ができると共に、金属アレルギーを誘発させないで済み、これにより操作性かつ安全性が一段と改善された美容脱毛用プローブを実現できる。
【０００７】
また、導電性樹脂自体の導電抵抗（電気抵抗）を十分小さくし得ることにより、脱毛電流発生電源として小型のものを適用することができる。
【発明を実施するための最良の形態】
【０００８】
以下図面について、本発明の一実施の形態を詳述する。
【０００９】
（１）全体構成
図１において、１は全体として美容電気脱毛装置を示し、美容電気脱毛装置本体部２の脱毛用電源３の一方の電源出力ラインＳ１が外部接続端子２Ａを介して被施術者が手に握る対極導子４に接続されると共に、脱毛用電源３の他方の電源出力ラインＳ２が外部接続端子２Ｂを介して美容電気脱毛施術者が手に持つプローブホルダ５に接続されている。
【００１０】
この場合脱毛用電源３は直流電源部３Ａ及び高周波電源部３Ｂを有し、直流電流による電気分解作用と、高周波電流による加熱作用とを毛包ないし毛根部分に生じさせる。
【００１１】
美容電気脱毛施術者は、プローブホルダ５の先端に装着されている美容脱毛用プローブ６を被施術者の毛穴から毛包内に１本ずつ挿入した状態で、その都度作動スイッチ７を操作することにより、中央処理ユニット（ＣＰＵ）８に電流付与信号Ｓ３を与えたとき、プローブホルダ５の美容脱毛用プローブ６から対極導子４に向って電流を流すことができるようになされている（以下このような電流を脱毛電流という）。
【００１２】
このように脱毛電流が付与される状態のとき、図２に示すように、美容脱毛用プローブ６は毛包１１内にむだ毛１２に沿って毛根部１３に至るまで美容脱毛用プローブ６を挿入した状態にあり、これにより美容脱毛用プローブ６に与えられた脱毛電流は毛包１１ないし毛根部１３に流れることにより、毛根組織の内部において熱エネルギーに変換して、毛根組織に蛋白質の熱凝固作用を生じさせ、及び又は毛包１１内にあるＮａＣｌを電気分解することによりＮａＯＨを生成してその強アルカリ作用により毛根組織（毛乳頭）を破壊することで脱毛処理がなされる。
【００１３】
（２）第１の実施の形態
図３は第１の実施の形態における美容脱毛用プローブ２１を示し、全体として断面が円形形状の導電性樹脂材料を射出成形等の樹脂成形方法又は切削等の機械加工をすることによって製出される。
【００１４】
第１の実施の形態の場合、導電性樹脂材料として、ポリオキシメチレン樹脂（ＰＯＭ樹脂（polyoxymethylene））、又はポリエーテル  エーテル  ケトン樹脂（ＰＥＥＫ樹脂（polyether ether ketone））、又はアクリロニトリル  ブタジエン  スチレン樹脂（ＡＢＳ樹脂（acrylonitrile butadiene styrene ））の樹脂に導電性非金属物質であるカーボンブラックを混合した導電性樹脂材料が用いられている。
【００１５】
美容脱毛用プローブ２１は、根元側において太い直径を有する丸棒を形成し、これをプローブホルダ５に装着される装着部２１Ａとすると共に、先端部側において全体として細い直径を有しかつ先端から根元側に行くに従って徐々に直径が太くなる緩やかな円錐形状を有する毛包挿入部２１Ｂを有し、毛包挿入部２１Ｂの根元側端と装着部２１Ａの先端とが毛包挿入部２１Ｂの細い直径から装着部２１Ａの太い直径まで急に太くなる段差部２１Ｃによって結合されている。
【００１６】
かくして美容電気脱毛施術者は、美容脱毛用プローブ２１の毛包挿入部２１Ｂの細い直径の先端部を毛穴に位置合わせした後、徐々に太くなる毛包挿入部２１Ｂを徐々に毛包１１を押し広げるように美容脱毛用プローブ２１をわずかな抵抗感を伴いながら挿入して行き、やがて毛穴が段差部２１Ｃに当接したとき、当該段差部２１Ｃが急に太くなることにより抵抗感が急激に大きくなることを利用して美容脱毛用プローブ２１の挿入操作をやめることにより、丁度毛包挿入部２１Ｂの先端が毛根部１３の位置（図２）に位置させることができるような挿入操作をなし得る。
【００１７】
かかる構成に加えて、美容脱毛用プローブ２１の毛包挿入部２１Ｂの先端部２１Ｂ１は、図４に示すように、断面が楕円形状を呈するような丸味を帯びた形状に成形されており、これにより毛穴に位置合せをした際、位置が合っていない場合の不用意な皮膚に対する刺通を防止すると共に、毛包挿入部２１Ｂが毛包に挿入されたとき、その先端部２１Ｂ１が不用意に毛包の壁面を刺通することがないような刺通抵抗をもつように（例えば刺通抵抗＝４０〔ｇｆ〕程度）なされている。
【００１８】
ここで刺通抵抗の規格は、注射針についてＪＩＳ  Ｔ  ３１０１注射針基準によって切れ味として決められており、皮下注射用注射針は図５に示すように先端が鋭い角度をもつ形状によって、刺通抵抗を１５〔ｇｆ〕以下にすべきことが規定されている。
【００１９】
また歯科局所麻酔用注射針は、図６に示すように、少々鈍い角度をもつ形状によって刺通抵抗を２０〔ｇｆ〕以下にすべきことが規定されている。
【００２０】
実験によれば、図７に示す３種類のタイプＡ１、Ｂ１及びＣ１のプローブは、刺通抵抗が歯科局所麻酔用注射針の約２倍程度の４０〔ｇｆ〕であることを確認できた。
【００２１】
図７において、αは毛包挿入部２１Ｂの先端の直径であり、βは毛包挿入部２１Ｂの根元側の直径であり、γは装着部２１Ａの直径であり、ａは毛包挿入部２１Ｂの長さであり、ｂは毛包挿入部２１Ｂの先端から段差部２１Ｃの根元部までの長さであり、ｃは毛包挿入部２１Ｂの先端から装着部２１Ａの後端までの長さである。
【００２２】
以上の構成の美容脱毛用プローブ２１によれば、全体として金属を含まない導電性樹脂によって構成されていることにより、細い直径の毛包挿入部２１Ｂが柔軟になることにより毛包１１に沿った挿入が容易にできると共に、毛包挿入部２１Ｂを被施術者の毛穴に挿入したとき金属アレルギーを誘発するおそれがなく、かつ、導電抵抗（電気抵抗）を１０００〔Ω〕程度に抑えることにより、脱毛用電源３を大型にしなくても適正な脱毛電流（０．１〔ｍＡ〕以下）を容易に流すことができると共に、高周波電流特性も容易にコントロールできる。
【００２３】
また、毛包挿入部２１Ｂの先端部２１Ｂ１が丸味を帯びた形状になっていることにより、脱毛操作時において毛穴付近の皮膚への不用意な刺通を防止することができると共に、毛包１１（図２）の壁面を刺通させないようにできる。
【００２４】
さらに、図３に示すように、先端から根元側に行くに従って徐々に直径が太くなる毛包挿入部２１Ｂと、これに続いて急に直径が太くなる段差部２１Ｃとを形成することにより、美容脱毛施術者は段差部２１Ｃが毛穴にぶつかるまで挿入をすれば毛包挿入部２１Ｂの先端を毛根部位置に位置決めできるので、脱毛操作が一段と容易になる。
【００２５】
かくして図３の美容脱毛用プローブ２１によれば、脱毛操作が一段と容易かつ安全な美容脱毛用プローブを得ることができる。
【００２６】
（３）第２の実施の形態
図８は第２の実施の形態の美容脱毛用プローブ２２を示し、この場合美容脱毛用プローブ２２は、太い直径かつ太さが一定で、プローブホルダ５に装着される装着部２２Ａと、当該装着部２２Ａの先端に形成された直径が細くかつ太さが一定の毛包挿入部２２Ｂとを有し、装着部２２Ａ及び毛包挿入部２２Ｂの結合部分に、細い直径から一挙に太い直径になる段差部２２Ｃを形成している。
【００２７】
この美容脱毛用プローブ２２も、図３について上述した美容脱毛用プローブ２１と同様の導電性樹脂材料及び丸味を帯びた先端形状を有し、これにより美容電気脱毛施術者が被施術者の毛穴に毛包挿入部２２Ｂを挿入したとき、段差部２２Ｃが毛穴に当たるまで単純な挿入操作をするだけで、毛穴挿入部２２Ｂの先端を毛根部位置に位置決めすることができる。
【００２８】
かくして美容脱毛用プローブ２２によれば、導電性樹脂材料によって構成したことにより、金属アレルギーの誘発がなく、柔軟にしなることにより挿入操作が容易になり、かつ導電抵抗（電気抵抗）を１０００〔Ω〕程度に抑えることにより、適正な脱毛電流を得ることができる。また先端形状が丸味をもっていることにより、毛穴付近の皮膚への不用意な刺通を防止できると共に、毛包の壁面に不用意に毛包挿入部２２Ｂを刺通するおそれをなくし得る。これにより一段と脱毛操作が簡易かつ安全な美容脱毛用プローブを得ることができる。
【００２９】
実験によれば、図９に説明する３種類のタイプＡ２、Ｂ２及びＣ２のプローブについて、適正な実験結果が得られた。
【００３０】
（４）第３の実施の形態
図１０は第３の実施の形態の美容脱毛用プローブ２３を示し、根元側に形成され、太い直径かつ太さが一定の装着部２３Ａと、当該装着部２３Ａの先端に形成され、少し細い直径を有しかつ太さが一定の中間部２３Ｂと、中間部２３Ｂの先端側に形成され、細い直径を有しかつ太さが一定の毛包挿入部２３Ｃと、毛包挿入部２３Ｃから中間部２３Ｂ間に行くに従って急に太くなる段差部２３Ｄとを有する。
【００３１】
この実施の形態の場合も、図３の美容脱毛用プローブ２１と同様の導電性樹脂材料で構成され、かつ毛穴挿入部２３Ｃの先端形状が丸味を帯びた形状となされていることにより、金属アレルギーを誘発したり、毛穴付近の皮膚を刺通したり、毛包の壁面を刺通したりするおそれがなく、柔軟なしなりにより操作性を改善でき、かつ導電抵抗を１０００〔Ω〕程度に抑えることができる効果が得られる。
【００３２】
また、美容脱毛用プローブ２３の場合は、毛包挿入部２３Ｃが太さが一定の細い直径に構成されていることにより、美容電気脱毛施術者が毛穴に段差部２３Ｄが当たるまで美容脱毛用プローブ２３を落とし込むような感覚で挿入操作をすることができ、これにより一段と挿入操作が容易なプローブを得ることができる。
【００３３】
かくして図１０の場合も、一段と操作性が容易でかつ安全性が改善された美容脱毛用プローブを得ることができる。
【００３４】
実験によれば、図１１に示す寸法の３種類のタイプＡ３、Ｂ３及びＣ３のプローブについて適正な効果が得られた。
【産業上の利用可能性】
【００３５】
本発明は、電気脱毛法を用いた美容脱毛装置に利用できる。
【図面の簡単な説明】
【００３６】
【図１】本発明による美容脱毛用プローブを用いた美容電気脱毛装置を示す系統図である。
【図２】美容脱毛用プローブの挿入操作の説明に供する略線的断面図である。
【図３】第１の実施の形態の美容脱毛用プローブを示す側面図である。
【図４】図３の毛包挿入部の先端形状を示す部分的拡大側面図である。
【図５】皮下注射用注射針の刺通抵抗の説明に供する略線図である。
【図６】歯科局所麻酔用注射針の刺通抵抗の説明に供する略線図である。
【図７】図３の美容脱毛用プローブとして適正な効果が得られたタイプＡ１、Ｂ１及びＣ１のプローブの寸法を示す図表である。
【図８】第２の実施の形態の美容脱毛用プローブを示す側面図である。
【図９】図８の美容脱毛用プローブとして適正な効果が得られたタイプＡ２、Ｂ２及びＣ２のプローブの寸法を示す図表である。
【図１０】第３の実施の形態の美容脱毛用プローブを示す側面図である。
【図１１】図１０の美容脱毛用プローブとして適正な効果が得られたタイプＡ３、Ｂ３及びＣ３のプローブの寸法を示す図表である。
【符号の説明】
【００３７】
１……美容電気脱毛装置、２……美容電気脱毛装置本体部、３……脱毛用電源、４……対極導子、５……プローブホルダ、６……美容脱毛用プローブ、７……作動スイッチ、８……ＣＰＵ、１１……毛包、１２……むだ毛、１３……毛根部、２１、２２、２３……美容脱毛用プローブ、２１Ｂ、２２Ｂ、２３Ｃ、……毛包挿入部。
【図１】
2005296468.tif 000003
【図２】
2005296468.tif 000004
【図３】
2005296468.tif 000005
【図４】
2005296468.tif 000006
【図５】
2005296468.tif 000007
【図６】
2005296468.tif 000008
【図７】
2005296468.tif 000009
【図８】
2005296468.tif 000010
【図９】
2005296468.tif 000011
【図１０】
2005296468.tif 000012
【図１１】
2005296468.tif 000013